(57)【要約】【課題】騒音の発生を抑制しかつ塵埃の滞留を防止することができる吸込口体及びこの吸込口体を備える電気掃除機を提供する。【解決手段】吸込口本体１１の吸込風路Ｄを開閉するシャッタ５０をその開放位置と閉鎖位置との間で案内するガイド部５３の上流側で、吸込口本体１１Ｈから吸い込まれた空気に整流を生じさせるための整流部材５６が設けられている。吸込口本体１１Ｈには吸気風路Ｄを横切って電気配線４６を収容する案内溝４７が形成されており、この案内溝４７を閉鎖するカバー４８に整流部材５６が一体的に形成されている。【選択図】  図３
2005000266.tif 000002
【特許請求の範囲】
【請求項１】
電動送風機が設けられた掃除機本体の接続口に吸込風路を経て連通する吸込口が下面に形成され、該吸込口から被清掃面上の塵埃を吸い込むための吸込口本体と、
前記吸込口から塵埃を吸い込むとき前記吸込風路を開放する開放位置に操作され、前記掃除機本体に設けられた前記吸込口本体とは別の吸込具から塵埃を吸い込むとき前記吸込風路を閉鎖する閉鎖位置に操作される弁体と、
前記吸込風路の内壁から該吸込風路内に突出して設けられ、前記弁体を前記吸込風路の前記閉鎖位置と前記開放位置との間で案内するガイド部と、
前記吸込風路の底面に、前記吸込風路を横切って前記ガイド部より上流に形成され、前記吸込口本体に設けられた電動部のための電気配線を収容する案内溝と、
前記案内溝を覆うカバーとを備える吸込口体であって、
前記ガイド部の上流側で前記吸込風路を流れる空気流を整流する整流部材を前記カバーに設けたことを特徴とする吸込口体。
【請求項２】
前記カバーに、前記ガイド部と前記整流部材とが一体成形されていることを特徴とする請求項１に記載の吸込口体。
【請求項３】
請求項１または請求項２に記載の吸込口体を備えることを特徴とする電気掃除機。
【発明の詳細な説明】
【０００１】
【発明の属する技術分野】
本発明は、電気掃除機に用いるのに好適な吸込口体及びこの吸込口体を備えた電気掃除機に関する。
【０００２】
【従来の技術】
従来、アップライト型の電気掃除機が知られている。アップライト型の電気掃除機では、掃除機本体の一端に、蛇腹状の吸込ホースを介することなく吸込口体が接続されており、掃除機本体の他端には、掃除機の取り扱いのためのハンドルが設けられている。掃除機本体に内蔵された電動送風機の負圧吸引作用により、吸込口体から吸込風路を経て塵埃を吸い込むとき、吸込口体が順次被清掃面上を移動するように、ハンドルを持って掃除機本体ごと操作される。
【０００３】
このようなアップライト型掃除機では、狭い場所や隙間などを掃除し易いように、掃除機本体内で吸込風路から分岐した蛇腹状の吸込ホースが掃除機本体に接続されている。吸込ホースの先には、隙間ノズルが装着される。この隙間ノズルの操作により、重重量の掃除機を本体毎移動させることなく電動送風機の負圧吸引作用によって狭い場所や隙間などの所望箇所を容易に掃除することができる。（例えば、特許文献１参照。）。
【０００４】
隙間ノズルが装着された吸込ホースを使用する際に、吸込口体の吸込風路を閉じ、これにより隙間ノズルの吸引力を高めるために、該吸込口体には弁体が設けられている。また吸込風路には該吸込風路の内壁からリブ状に突出するガイド部が形成されている。弁体は、ガイド部の案内作用により、吸込口体から塵埃の吸い込みを許す吸込風路の開放位置と吸込風路を閉鎖する閉鎖位置との間で移動する。この弁体は、吸込口体から塵埃を吸い込むときには開放位置に操作され、吸込ホースから塵埃を吸い込むときには吸込風路を閉鎖する閉鎖位置に操作される。ガイド部は、弁座としての機能をも果たす（例えば、特許文献２参照。）。
【０００５】
【特許文献１】
特開２０００−２１７７５２号公報（第２頁、第６図）
【特許文献２】
特開２０００−１９７５９１号公報（第６頁、第１２図）
【０００６】
【発明が解決しようとする課題】
しかしながら、弁体を受けるガイド部が、吸込口体内の吸込風路の内壁から該吸込風路内に突出するように形成されていることから、吸込口体を使用するとき、ガイド部の上流側で電動送風機の負圧吸引作用によって吸込口体から吸い込まれた空気の流れに乱れを与え、風切り音のような騒音が生じてしまう。また、空気と一緒に吸い込まれた塵埃などがガイド部の上流側側面に引っ掛かり、そこで溜まってしまうことがある。
【０００７】
本発明の目的は、吸込風路に突設されたガイド部による騒音の発生を抑制しかつ塵埃の滞留を防止することができる吸込口体、及びこの吸込口体を備える電気掃除機を提供することにある。
【０００８】
【課題を解決するための手段】
上記課題を解決するために、本発明は、電動送風機が設けられた掃除機本体の接続口に吸込風路を経て連通する吸込口が下面に形成され、該吸込口から被清掃面上の塵埃を吸い込むための吸込口本体と、前記吸込口から塵埃を吸い込むとき前記吸込風路を開放する開放位置に操作され、前記掃除機本体に設けられた前記吸込口本体とは別の吸込具から塵埃を吸い込むとき前記吸込風路を閉鎖する閉鎖位置に操作される弁体と、前記吸込風路の内壁から該吸込風路内に突出して設けられ、前記弁体を前記吸込風路の前記閉鎖位置と前記開放位置との間で案内するガイド部と、前記吸込風路の底面に、前記吸込風路を横切って前記ガイド部より上流に形成され、前記吸込口本体に設けられた電動部のための電気配線を収容する案内溝と、前記案内溝を覆うカバーとを備える吸込口体であって、前記ガイド部の上流側で前記吸込風路を流れる空気流を整流する整流部材を前記カバーに設けたことを特徴とする。
【０００９】
【発明の実施の形態】
以下、本発明の実施の形態を図面に従って説明する。
【００１０】
〈実施の形態１〉
図１は、本発明に係るアップライト型の電気掃除機１０を模式的に示す。アップライト型の電気掃除機１０は、吸込口体１１と、吸込口体１１に一端が枢着され該吸込口体１１から立ち上がる支柱体１２と、支柱体１２の他端すなわち上端に枢軸１３を介して折りたたみ可能に取付けられたハンドル１４と、電動送風機１５ａ及びサイクロンケース１５ｂが内蔵され、支柱体１２に保持される掃除機本体１５と、掃除機本体１５の下部に着脱可能に装着された集塵室１６と、蛇腹状の吸込ホース１７と、必要に応じて吸込ホース１７の先端１８に装着される隙間ノズル１７ａとを備える。隙間ノズル１７ａは、従来よく知られているように掃除機本体１５に設けられた図示しない保持部に着脱可能に保持されている。
【００１１】
支柱体１２の内部には、図示しないが従来よく知られた吸込風路と排気風路とがそれぞれ形成されている。前記吸込風路の一端は吸込口体１１に接続されており、前記吸込風路の他端は掃除機本体１５内のサイクロンケース１５ｂの接続口１５ｃに接続されている。前記排気風路の一端は電動送風機１５ａの図示しない排気口に接続されており、前記排気風路の他端は吸込口体１１に接続されている。前記吸込風路及び排気風路と吸込口体１１との接続関係は、後に詳述する。
【００１２】
吸込ホース１７は、その一端で、図示しない分岐風路を介して支柱体１２の前記吸込風路に接続されており、他端である先端１８に隙間ノズル１７ａが装着される。吸込ホース１７はその先端１８に装着される隙間ノズル１７ａと共に、吸込口体１１とは別の吸込具として用いられる。吸込ホース１７の非使用時、吸込ホース１７の先端１８は支柱体１２に設けられた凸部１９に嵌合される。これにより、吸込ホース１７が凸部１９との嵌合により閉鎖された状態で保持されている。
【００１３】
ハンドル１４に設けられた操作スイッチ２０の操作により、電動送風機１５ａが作動されると、従来よく知られているようにサイクロンケース１５ｂ及び該サイクロンケース１５ｂに連通する集塵室１６に負圧が作用する。吸込口体１１の使用時、電動送風機１５ａの作動による負圧によって、吸込口体１１から空気とともに塵埃が吸い込まれると、この塵埃は支柱体１２の前記吸気風路を経てサイクロンケース１５ｂ内にその接続口１５ｃから吸い込まれる。サイクロンケース１５ｂ内に吸い込まれた塵埃は、サイクロンケース１５ｂの分離作用により、空気から分離される。分離された塵埃は集塵室１６に集められる。他方、吸引された空気は、吸込口体１１の使用時には、循環のために電動送風機１５ａを経て支柱体１２の前記排気風路を介して吸込口体１１に戻される。このような吸込口体１１を使用するときは、吸込口体１１が順次被清掃面上を移動するように、ハンドル１４を持って掃除機本体１５ごと操作される。
【００１４】
狭い場所や隙間などを掃除し易いように、吸込口体１１の使用に代えて、吸込ホース１７がその先端１８に隙間ノズル１７ａを装着して用いられる。この隙間ノズル１７ａの操作により、重重量の掃除機を本体毎移動させることなく電動送風機１５ａの負圧作用によって狭い場所や隙間などの所望箇所を容易に掃除することができる。吸込ホース１７の先端１８に隙間ノズル１７ａを装着して用いるとき、隙間ノズル１７ａから吸い込まれた空気と塵埃は、吸込ホース１７から前記分岐風路及び支柱体１２の前記吸込風路を介してサイクロンケース１５ｂに導入される。このとき、吸引された空気は、電動送風機１５ａを経て、支柱体１２の前記排気風路を介して吸込口体１１から排出される。
【００１５】
次に、吸込口体１１の詳細について説明する。図１に示すように、吸込口体１１は、上部ケース２１及び下部ケース２２を有する吸込口本体１１Ｈと、該吸込口本体１１Ｈに回動自在に連結された連結管１１Ｒとを備える。
【００１６】
連結管１１Ｒは、ＡＢＳ樹脂などの合成樹脂で形成されている。図２は、吸込口本体１１Ｈの内部を示す横断面である。また、図３は、上部ケース２１を外した状態で吸込口体１１の内部を示す斜視図である。図２および図３に示すように、連結管１１Ｒは、屈曲した屈曲部２３を有する円筒形状の吸込管部２４を備える。吸込管部２４は、その一端が支柱体１２に接続されたとき、該支柱体１２の前記吸込風路に一端が連通する吸気路２５を規定する。吸込管部２４には、該吸込管部２４の周方向外方に支柱体１２の前記排気風路に連通する一対の排気路２６を規定するための排気管部２７（図２参照）が吸込管部２４と一体的に設けられている。吸込管部２４の他端には、図３に示すように、該他端の軸線の回りに所定の回転角度で矢印Ｙの方向へ回動可能の筒状の揺動部２８が設けられている。揺動部２８は、その周壁により前記吸気路２５に連通する開口２９を規定する。揺動部２８の両側には、揺動部２８の軸線と直角な方向へ突出する一対の筒状の枢軸管部３０が形成されている。前記排気管部２７により規定された前記排気路２６は、枢軸管部３０を経て該枢軸管部３０の各外方の開放端３１に開放する。
【００１７】
揺動部２８は、その枢軸管部３０が上部ケース２１および下部ケース２２のそれぞれに設けられた半円状の軸受部２２ａに受け入られる。これにより揺動部２８が設けられた連結管１１Ｒは、吸込口本体１１Ｈに枢軸管部３０の回りに揺動可能に結合される。
【００１８】
吸込口本体１１Ｈの上部ケース２１及び下部ケース２２のそれぞれは、ＡＢＳ樹脂などの合成樹脂で形成されており、後部中央部分が後方へ突出した凸形状をなしている。また、上部ケース２１及び下部ケース２２は、その周縁に沿った軟質部材の緩衝体３２を、上部ケース２１と下部ケース２２との間に挟持して結合されている。
【００１９】
吸込口本体１１Ｈ内には一組のＬ字状の区画壁３３，３４が形成されており、該区画壁３３，３４により吸込口本体１１Ｈ内は、区画壁３３，３４間の吸込室３５と、区画壁３３，３４の外方の排気風路３６，３７とに区画されている。吸込室３５の底面には吸込口３８が形成されており、該吸込口３８に沿って回転清掃体３９が回転可能に配置されている。
【００２０】
吸込室３５は、吸込風路部４０により規定される吸込風路Ｄを経て連結管１１Ｒの吸気路２５に連通する。排気風路３６，３７は、従来におけると同様に、枢軸管部３０の各開放端３１に連通し、支柱体１２の前記排気風路から連結管１１Ｒの排気路２６を経る排気風を吸込口３８に案内する。
【００２１】
吸込口３８内に配置された回転清掃体３９のための電動モータ４１が、吸込風路部４０の一方の側に形成された一方の排気風路３７内に配置されている。回転清掃体３９は、電動モータ４１の駆動軸に固定された駆動プーリ４２と回転清掃体３９の回転軸４３に固定された従動プーリ４４とを巡るベルトＢを経て、駆動力を受ける。また、吸込風路部４０の他方の側に形成された他方の排気風路３６内には、電動モータ４１及びその他の電動部のための回路基板４５が配置されている。回路基板４５と電動部である電動モータ４１との間に設けられたリード線からなる電気配線４６は、吸込風路部４０を横切る案内溝４７内に収容されている。この案内溝４７には該案内溝４７を閉じるカバー４８が装着されている。
【００２２】
また、排気風路３６には、連結管１１Ｒに連結された支柱体１２が吸込口体１１に対して後述する起立位置におかれるとき、前記枢軸管部３０の排気風路３６側の開放端３１に突設された突起部３１ａに当接して電動モータ４１の駆動を停止させる検出スイッチＳが設けられている。
【００２３】
電動モータ４１の駆動により回転する回転清掃体３９は、そのブラシ４９の回転により、被清掃面上の塵埃を掃き出し、掃き出された塵埃は吸込口３８に作用する負圧により吸込室３５、吸込風路部４０、連結管１１Ｒの吸気路２５及び支柱体１２の前記吸込風路を経て集塵室１６に集められる。
【００２４】
吸込口体１１を使用するとき、支柱体１２の上端に取り付けられたハンドル１４を持って掃除機本体１５が設けられた支柱体１２毎移動される。この際、連結管１１Ｒによって支柱体１２に連結された吸込口本体１１Ｈは、連結管１１Ｒの枢軸管部３０を中心にした回動と、揺動部２８の揺動とが許されていることから、吸込口本体１１Ｈを被清掃面に沿って自在に操ることができる。
【００２５】
吸込口本体１１Ｈに設けられた吸込口３８に連通する吸込風路Ｄを閉鎖する弁体すなわちシャッタ５０が、従来よく知られているように吸込風路部４０に設けられている。シャッタ５０は、支柱体１２の前記吸込風路に連通する吸込風路Ｄを閉鎖する。これにより、吸込口３８と吸込ホース１７との連通が遮断されることから、支柱体１２の前記吸込風路から前記分岐風路を経て分岐する吸込ホース１７がその先端１８に隙間ノズル１７ａを装着して使用されるときに、隙間ノズル１７ａでの吸引力が高められる。
【００２６】
吸込風路Ｄを開閉するシャッタ５０は、図３及び図４に示すように、弧状の横断面形状を有する板状部材からなる。シャッタ５０は、連結管１１Ｒの揺動部２８に一体的に設けられている。図示の例では、揺動部２８に設けられた開口２９の上縁を覆うように、揺動部２８にシャッタ５０が配置され、開口２９の上縁に沿って形成された段状の突起部５１とシャッタ５０の後縁に形成された係止部５２との係合により、シャッタ５０が揺動部２８に係止されている。
【００２７】
揺動部２８が設けられた連結管１１Ｒは、前記したように、吸込口体１１に枢軸管部３０の回りに揺動可能に連結されている。この連結管１１Ｒを枢軸管部３０の回りに揺動させることにより、連結管１１Ｒの揺動部２８に設けられたシャッタ５０は、図４に示すように、その下縁５０ａが吸込風路部４０の底面４０ａから間隔をおくことにより開口２９を吸込室３５に連通させる開放位置と、図５に示すように、その下縁５０ａが吸込風路部４０の底面４０ａに当接することにより開口２９と吸込室３５との連通を遮断する閉鎖位置との間で移動する。
【００２８】
シャッタ５０を開放位置と閉鎖位置との間で確実に案内するために、図６に示すように、吸込風路部４０には、シャッタ５０を案内する一対のガイド部５３が設けられている。
【００２９】
一対のガイド部５３は、吸込風路Ｄを流れる空気流のシャッタ５０より上流側で該シャッタ５０を案内すべく吸込風路部４０の内壁の一部である互いに対向する両側壁４０ｂから吸込風路Ｄ内へ対をなすように突出して形成されている。各ガイド部５３の下流側の側面、すなわちシャッタ５０に対向する側面はシャッタ５０の弧状に沿った弧状曲面５４である。各ガイド部５３の上流側側面は、平坦面５５である。
【００３０】
ガイド部５３の弧状曲面５４は、連結管１１Ｒの揺動に伴うシャッタ５０の移動を案内すると共に、閉鎖位置にあるシャッタ５０の弁座としての機能をも果たす。
【００３１】
ガイド部５３の上流側側面すなわち平坦面５５を覆う整流部材５６が、両ガイド部５３の上流側に形成された案内溝４７を閉じるカバー４８に設けられている。図６では、案内溝４７からカバー４８が取り外されている。
【００３２】
案内溝４７を閉じるカバー４８は、図６に示すように、矩形状をなす底板部５７と、該底板部５７の両端から垂直に互いに対向して立ち上がる一対の側板部５８とを有し、縦断面がＵ字型をなす。カバー４８は、底板部５７の中央部に設けられた一対のフック５９が案内溝４７に設けられた係合部６０に係止されることにより、吸込口本体１１Ｈの吸込風路部４０に取り外し可能に取り付けられている。図示の例では、側板部５８には、該側板部５８を受け入れるべく吸込風路部４０の側壁４０ｂに設けられた凹部６１の縁部分を側板部５８と共同して挟持するための突起部６２が設けられている。
【００３３】
各側板部５８の内面には、整流部材５６がカバー４８と一体的に形成されている。整流部材５６は、側板部５８の前縁から該側板部５８に沿ってその後縁から後方へ突出するように延在する。整流部材５６は、そのエッジ状の前端から肉厚の後端へ向けて板厚寸法が漸増している。この板厚の漸増により、整流部材５６の吸込風路部４０に対向する面は滑らかな曲面６３に形成されている。カバー４８が案内溝４７に装着されたとき、図３に示したように、各側板部５８に形成された整流部材５６の後端面６４は、対応するそれぞれのガイド部５３の平坦面５５に整合して該平坦面５５を覆う。
【００３４】
整流部材５６の曲面６３は、吸込口３８から吸い込まれた空気に各ガイド部５３を経る整流を生じさせる。また整流部材５６はその後端面６４でガイド部５３の平坦面５５を隙間なく当接して覆うことにより、空気流に含まれる塵埃が吸込風路部４０を流れる際、ガイド部５３に引っ掛かりそこで滞留することを防止する。
【００３５】
本発明に係る電気掃除機１０では、隙間ノズル１７ａが装着された吸込ホース１７の使用時、図５に示すように、連結管１１Ｒに接続された支柱体１２が吸込口体１１の底面に関して直角になる起立位置に保持される。この起立位置では、前記した検出スイッチＳの作動により、回転清掃体３９の回転が停止され、シャッタ５０は、その下縁５０ａが吸込風路部４０の底面４０ａに当接することにより、開口２９と吸込室３５との連通を遮断する閉鎖位置に操作される。この閉鎖位置では、シャッタ５０を受ける前記ガイド部５３の弁座作用により、吸込風路Ｄが確実に閉鎖されることから、隙間ノズル１７ａの吸込負圧の低下が防止され、この隙間ノズル１７ａを用いて効果的に塵埃を吸引することができる。
【００３６】
他方、吸込口体１１の使用時、図４に示すように、連結管１１Ｒに接続された支柱体１２が吸込口体１１の底面に関して鈍角の傾斜角に操作されると、連結管１１Ｒの揺動部２８に係止されたシャッタ５０は、その下縁５０ａが吸込風路部４０の底面４０ａから間隔をおく開放位置に移動される。これにより、吸込口３５から電動送風機１５ａの負圧作用により空気と塵埃が吸引される。
【００３７】
本発明に係る電気掃除機１０では、整流部材５６によりガイド部５３の上流側で整流が生成されることから、吸込風路部４０を通過する空気の流れに乱れが生じることはない。従って、乱流による騒音の発生を防止することができる。
【００３８】
また、整流部材５６によって吸込風路部４０の側壁４０ｂに突設されたガイド部５３の平坦面５５が覆われていることから、吸込口３５から吸引された塵埃は、吸込風路部４０を通過する際、塵埃がガイド部５３に引っ掛かることなく、円滑に吸込風路部４０を流れる。
【００３９】
ガイド部５３に塵埃が引っ掛かり、それにより吸込口体１１内に塵埃が滞留すると、この塵埃を取り除くために吸込口体１１の分解を必要とする事態が生じることがある。
【００４０】
しかしながら、本発明によれば、整流部材５６の形成により塵埃の滞留を防止することができるので、滞留した塵埃を除去するための分解作業は不要となる。
【００４１】
さらに、整流部材５６は吸込口本体１１Ｈと別体に形成され、しかもこの整流部材５６は吸込口本体１１Ｈに取り付けられるカバー４８に一体的に形成されていることから、整流部材５６のために吸込口本体１１Ｈの変更を招くことなく、部品数の増大及び組み立て工程数の増大を招くことなく、効果的にガイド部５３での騒音の発生が防止され、ガイド部５３での塵埃の滞留が防止される。
【００４２】
〈実施の形態２〉
実施の形態１では、シャッタ５０を案内するガイド部５３が、カバー４８に一体的に形成された整流部材６３と別体に形成された例を説明した。
【００４３】
これに代えて、図７に示すように、カバー４８に一体的に形成された整流部材２００にシャッタ５０のためのガイド部を一体的に形成することができる。図７には、実施の形態１に示したと同様の機能を果たす同様の機能部分には、これと同一の参照符号が付されている。
【００４４】
図７に示す整流部材２００は、実施の形態１におけるガイド部５３の平坦面５５と整流部材５６の後端面６４とを接着させた形状をなしており、ガイド部５３と整流部材５６とが一体成形されている。すなわち、整流部材２００の後端面２０２は、シャッタ５０の曲面に沿った弧状曲面であり、また吸込風路部４０に対向する面は整流を生じさせるような滑らかな曲面２０１である。整流部材２００が一体的に形成されたカバー４８が案内溝４７に装着されたとき、カバー４８の各側板部５８に形成された整流部材２００の後端は、その後端面２０２でシャッタ５０を前記した開放位置と閉鎖位置との間で案内すべくシャッタ５０に係合可能な位置に伸長する。また、整流部材２００の後端面２０２は、閉鎖位置にあるシャッタ５０の弁座として機能する。
【００４５】
本実施の形態２では、吸込風路部４０の底面４０ａに形成された案内溝４７を塞ぐカバー４８に整流部材２００が取り付けられていることから、吸込風路部４０内に整流が生成され、電動送風機１５ａの負圧作用により吸込口３８から吸い込まれた空気が吸込風路部４０を通過する際、整流部材２００によって空気の流れに乱れが生じることはない。
【００４６】
また、吸込口３８から空気に含まれて吸い込まれた塵埃が吸込風路部４０を通過する際、塵埃は整流部材２００によって吸込風路部４０内に引っ掛かることなく円滑に吸込風路部４０を流れる。
【００４７】
さらに、このガイド部を有する整流部材２００が一体成形されたカバー４８を、ガイド部が形成されていない吸込口本体１１Ｈａに組み込むことにより、この吸込口本体１１Ｈａにシャッタ５０のためのガイド部を形成することができる。そのため、シャッタ５０のためのガイド部が設けられていない吸込口本体１１Ｈａを利用することが可能になるので、シャッタ５０が設けられない吸込口体のための吸込口本体と、シャッタ５０が設けられる吸込口体のための吸込口本体とを共有化することが可能になり、生産効率の向上が可能となる。
【００４８】
尚、実施の形態１及び実施の形態２で説明した例では、カバー４８と整流部材５６，２００とが一体的に形成されていたが、カバー４８と整流部材５６または２００とをそれぞれ別体で形成することができる。また、整流部材５６，２００は、それぞれのエッジ状の前端から肉厚の後端へ向けて板厚寸法を漸増することにより、整流部材５６，２００の吸込風路部４０に対向する面を滑らかな曲面６３，２０１で形成したが、整流部材５６，２００の吸込風路部４０に対向する面を平坦な傾斜面あるいは平面の組み合わせによる屈曲面で構成することができる。さらに、整流部材５６，２００は、側板部５８の前縁から側板部５８に沿って形成されていたが、整流部材５６，２００のそれぞれのエッジ状の前端が、側板部５８の前縁よりも吸込風路Ｄの上流側または側板部５８の前縁と後縁との間に位置するように、整流部材５６，２００をそれぞれ形成することができる。その際、整流部材５６は、その後端面６４がガイド部５３の平坦面５５と隙間なく当接する位置に形成される。また整流部材２００は、その後端面２０１がシャッタ５０を確実に案内できる位置に形成される。
【００４９】
また、実施の形態１及び実施の形態２では、アップライト型の電気掃除機１０の吸込口体１１について説明したが、掃除機本体が円筒状のキャニスタ型の電気掃除機あるいは掃除機本体にキャスターが設けられた家庭用電気掃除機のような掃除機の吸込口体であってもよく、排気風が循環しない、いわゆる排気式電気掃除機の吸込口体に適用することができる。
【００５０】
さらに、吸込口本体１１Ｈ内の吸込口３８には、回転清掃体３９に代えて、移動用ローラのような回転体を用いることができ、電動部である電動モータ４１は吸込口３８に配置される回転体以外の構成部材を駆動させるための電動部であってもよい。
【００５１】
このように本実施の形態においては、カバー４８に、ガイド部５３と整流部材５６とが一体成形されているため、吸込風路部４０内に整流が生成され、電動送風機１５ａの負圧作用により吸込口３８から吸い込まれた空気が吸込風路部４０を通過する際、流れに乱れが生じることはない。また、吸込口３８から空気に含まれて吸い込まれた塵埃が吸込風路部４０を通過する際、吸込風路部４０内に引っ掛かることなく円滑に吸込風路部４０を流れる。
【００５２】
また本実施の形態においては、吸込口体１１を備えているため、シャッタ５０が設けられない吸込口体のための吸込口本体と、シャッタ５０が設けられる吸込口体のための吸込口本体とを共有化することが可能になり、生産効率の向上が可能となる。
【００５３】
【発明の効果】
整流部材のために吸込口本体の変更を招くことなく、吸込口本体の吸込風路部を開閉する弁体のためのガイド部による乱流の生成を防止し、この乱流による風切り音のような騒音の発生を抑制することができ、またガイド部での塵埃の滞留を防止することができる。また、部品数の増大及び組み立て工程数の増大を招くことなく、効果的にガイド部での騒音の発生が防止され、ガイド部での塵埃の滞留が防止される。
【図面の簡単な説明】
【図１】本発明に係るアップライト型の電気掃除機の外観を示す斜視図である。
【図２】本発明に係る実施の形態１の吸込口体の内部を示す横断面図である。
【図３】図２に示した吸込口体を部分的に破断してその内部を示す斜視図である。
【図４】本発明に係る吸気口体に設けられたシャッタが開放位置にある状態を示す吸込口体の縦断面図である。
【図５】本発明に係る吸気口体に設けられたシャッタが閉鎖位置にある状態を示す吸込口体の縦断面図である。
【図６】実施の形態１におけるカバーと吸込口体内部とを分解して示す斜視図である。
【図７】実施の形態２における図６と同様な図面である。
【符号の説明】
１５ａ  電動送風機
１５  掃除機本体
１５ｃ  接続口
Ｄ    吸込風路
３８  吸込口
１１Ｈ  吸込口本体
１７，１７ａ  吸気具（吸込ホース、隙間ノズル）
５０  弁体（シャッタ）
４０ｂ  内壁（側壁）
５３  ガイド部
４０ａ  底面
４１  電動部（電動モータ）
４６  電気配線
４７  案内溝
４８  カバー
１１  吸込口体
５６，２００  整流部材
１０  電気掃除機
【図１】
2005000266.tif 000003
【図２】
2005000266.tif 000004
【図３】
2005000266.tif 000005
【図４】
2005000266.tif 000006
【図５】
2005000266.tif 000007
【図６】
2005000266.tif 000008
【図７】
2005000266.tif 000009